(57)【特許請求の範囲】
【請求項１】
免許不要帯域チャネルを占有するための方法であって、
ユーザ機器において、二次セル（Ｓｃｅｌｌ）基地局によって決定された免許不要帯域チャネルの参照信号伝送単位の電力増加率を受信するステップと、
前記ユーザ機器において、前記免許不要帯域チャネルを使って、前記Ｓｃｅｌｌ基地局によって送られた参照信号伝送単位レベル電力分布のサブフレームを受信するステップと、
前記ユーザ機器において、前記電力増加率を復号するステップと、
前記ユーザ機器で前記電力増加率を使用して前記サブフレームを処理するステップと、
を含み、
前記電力増加率が、ゼロ電力チャネル状態情報参照信号（ＺＰ−ＣＳＩ−ＲＳ）電力増加率ρＣおよび非フル・バッファ電力増加率ρＤのうちの少なくとも一方であり、
前記ＺＰ−ＣＳＩ−ＲＳ電力増加率ρＣが、ρＣ＝Ｎ／（Ｎ−ＮＺＲＳ）によって決定され、ここで、Ｎは、前記参照信号伝送単位におけるリソース単位（Ｒｅ）の総数であり、ＮＺＲＳは、前記参照信号伝送単位におけるＺＰ−ＣＳＩ−ＲＳのためにスケジューリングされたＲＥの数であり、
前記非フル・バッファ電力増加率が、
【数１】
0006637995.tif 000004
によって決定され、ここで、Ｅｌｏｗｅｒは、前記参照信号伝送単位の帯域幅を横切るエネルギー下限であり、Ｅｃｏｎは、通常の電力分布において前記参照信号伝送単位によって分配されたエネルギーであり、Ｎｎｏｎは、前記参照信号伝送単位における未利用ＲＥの数および参照信号伝送単位におけるＺＰ−ＣＳＩ−ＲＳのためにスケジューリングされたＲＥの数であり、Ｎは、前記参照信号伝送単位におけるＲＥの総数である、方法。
【請求項２】
前記ユーザ機器が、前記電力増加率を前記Ｓｃｅｌｌ基地局から前記免許不要帯域チャネルを介して受信する、請求項１に記載の方法。
【請求項３】
前記Ｓｃｅｌｌ基地局が、前記Ｓｃｅｌｌ基地局の一次セル（Ｐｃｅｌｌ）基地局に前記電力増加率を送り、前記ユーザ機器が、前記Ｐｃｅｌｌ基地局から前記電力増加率を受信する、請求項１に記載の方法。
【請求項４】
前記ユーザ機器が、前記サブフレームを受信した後に該サブフレームをバッファに入れ、電力調節命令を待つ、請求項１に記載の方法。
【請求項５】
免許不要帯域チャネルを占有するための方法であって、
二次セル（Ｓｃｅｌｌ）基地局において、免許不要帯域チャネルの参照信号伝送単位の電力増加率を決定するステップと、
前記電力増加率を、ユーザ機器に、前記Ｓｃｅｌｌ基地局によって直接的または間接的に通知するステップと、
参照信号伝送単位レベル電力分布のサブフレームを前記Ｓｃｅｌｌ基地局から前記ユーザ機器に前記免許不要帯域チャネルを介して送るステップと、
前記Ｓｃｅｌｌ基地局において、前記電力増加率を受信したという確認を前記ユーザ機器から受信するステップと、
を含み、
前記電力増加率が、ゼロ電力チャネル状態情報参照信号（ＺＰ−ＣＳＩ−ＲＳ）電力増加率ρＣおよび非フル・バッファ電力増加率ρＤのうちの少なくとも一方であり、
前記ＺＰ−ＣＳＩ−ＲＳ電力増加率ρＣが、ρＣ＝Ｎ／（Ｎ−ＮＺＲＳ）によって決定され、ここで、Ｎは、前記参照信号伝送単位におけるリソース単位（Ｒｅ）の総数であり、ＮＺＲＳは、前記参照信号伝送単位におけるＺＰ−ＣＳＩ−ＲＳのためにスケジューリングされたＲＥの数であり、
前記非フル・バッファ電力増加率が、
【数２】
0006637995.tif 000005
によって決定され、ここで、Ｅｌｏｗｅｒは、前記参照信号伝送単位の帯域幅を横切るエネルギー下限であり、Ｅｃｏｎは、通常の電力分布において前記参照信号伝送単位によって分配されたエネルギーであり、Ｎｎｏｎは、前記参照信号伝送単位における未利用ＲＥの数および参照信号伝送単位におけるＺＰ−ＣＳＩ−ＲＳのためにスケジューリングされたＲＥの数であり、Ｎは、前記参照信号伝送単位におけるＲＥの総数である、方法。
【請求項６】
前記Ｓｃｅｌｌ基地局が、前記Ｓｃｅｌｌ基地局の一次セル（Ｐｃｅｌｌ）基地局に前記電力増加率を送り、前記Ｐｃｅｌｌ基地局が、前記電力増加率を前記ユーザ機器に送る、請求項５に記載の方法。
【請求項７】
二次セル（Ｓｃｅｌｌ）基地局によって決定された免許不要帯域チャネルの参照信号伝送単位の電力増加率を受信するように構成された電力増加率受信器と、
前記免許不要帯域チャネルを使って、前記Ｓｃｅｌｌ基地局によって送られた参照信号伝送単位レベル電力分布のサブフレームを受信するように構成されたサブフレーム受信器と、
前記電力増加率を復号するように構成された復号器と、
前記電力増加率を使用して前記サブフレームを処理するように構成されたプロセッサと、
を含み、
前記電力増加率が、ゼロ電力チャネル状態情報参照信号（ＺＰ−ＣＳＩ−ＲＳ）電力増加率ρＣおよび非フル・バッファ電力増加率ρＤのうちの少なくとも一方であり、
前記ＺＰ−ＣＳＩ−ＲＳ電力増加率ρＣが、ρＣ＝Ｎ／（Ｎ−ＮＺＲＳ）によって決定され、ここで、Ｎは、前記参照信号伝送単位におけるリソース単位（Ｒｅ）の総数であり、ＮＺＲＳは、前記参照信号伝送単位におけるＺＰ−ＣＳＩ−ＲＳのためにスケジューリングされたＲＥの数であり、
前記非フル・バッファ電力増加率が、
【数３】
0006637995.tif 000006
によって決定され、ここで、Ｅｌｏｗｅｒは、前記参照信号伝送単位の帯域幅を横切るエネルギー下限であり、Ｅｃｏｎは、通常の電力分布において前記参照信号伝送単位によって分配されたエネルギーであり、Ｎｎｏｎは、前記参照信号伝送単位における未利用ＲＥの数および参照信号伝送単位におけるＺＰ−ＣＳＩ−ＲＳのためにスケジューリングされたＲＥの数であり、Ｎは、前記参照信号伝送単位におけるＲＥの総数である、ユーザ機器。
【請求項８】
免許不要帯域チャネルの参照信号伝送単位の電力増加率を決定するように構成された決定デバイスと、
前記電力増加率をユーザ機器に直接的または間接的に通知するように構成された電力増加率送信器と、
参照信号伝送単位レベル電力分布のサブフレームを前記ユーザ機器に前記免許不要帯域チャネルを介して送るように構成されたサブフレーム送信器と、
前記電力増加率を受信したという確認を前記ユーザ機器から受信するように構成された受信器と、
を含み、
前記電力増加率が、ゼロ電力チャネル状態情報参照信号（ＺＰ−ＣＳＩ−ＲＳ）電力増加率ρＣおよび非フル・バッファ電力増加率ρＤのうちの少なくとも一方であり、
前記ＺＰ−ＣＳＩ−ＲＳ電力増加率ρＣが、ρＣ＝Ｎ／（Ｎ−ＮＺＲＳ）によって決定され、ここで、Ｎは、前記参照信号伝送単位におけるリソース単位（Ｒｅ）の総数であり、ＮＺＲＳは、前記参照信号伝送単位におけるＺＰ−ＣＳＩ−ＲＳのためにスケジューリングされたＲＥの数であり、
前記非フル・バッファ電力増加率が、
【数４】
0006637995.tif 000007
によって決定され、ここで、Ｅｌｏｗｅｒは、前記参照信号伝送単位の帯域幅を横切るエネルギー下限であり、Ｅｃｏｎは、通常の電力分布において前記参照信号伝送単位によって分配されたエネルギーであり、Ｎｎｏｎは、前記参照信号伝送単位における未利用ＲＥの数および参照信号伝送単位におけるＺＰ−ＣＳＩ−ＲＳのためにスケジューリングされたＲＥの数であり、Ｎは、前記参照信号伝送単位におけるＲＥの総数である、基地局。
【発明の詳細な説明】
【技術分野】
【０００１】
本発明は、ワイヤレス通信技術に関し、特に、ワイヤレス通信技術において免許不要帯域チャネルを占有するための方法および装置に関する。
【背景技術】
【０００２】
ライセンス補助アクセス（ＬＡＡ）技術は、様々な無線アクセス技術（ＲＡＴ）と共存することを意図しており、様々な無線アクセス技術（ＲＡＴ）は、同じモデルまたは異なるモデルを使用する様々な事業者に属することができる。それゆえに、空きチャネルが宣言された後、免許不要帯域のチャネルを占有し保持するのはＬＡＡにとって大きな課題である。例えば、ゼロ電力チャネル状態情報参照信号（ＺＰ−ＣＳＩ−ＲＳ）が送信されるとき、サブフレームのシンボル・レベル電力が劇的に（または大幅に）変わることがある。
【０００３】
例えば、４つのＺＰ−ＣＳＩ−ＲＳがサブフレームに構成されている場合、ＺＰ−ＣＳＩ−ＲＳを備えていないシンボルと比較して、ＺＰ−ＣＳＩ−ＲＳを備えているシンボルのエネルギーは、平均して１／６まで減少する。別の例では、非フル・バッファの場合には、いくつかのリソース要素（ＲＥ）が利用されず、それは、さらに、帯域幅全体のシンボルのエネルギー減少を引き起こすことがある。シンボルのエネルギーが著しく低い場合、隣接する基地局またはユーザ機器は、シンボルが存在する使用中のチャネルを誤って空きチャネルまたは未使用チャネルとして検出し、データをそのチャネルを介して送信することがあり、そのため、厳しいチャネル干渉が引き起こされることがある。その上、ワイヤレス・フィデリティ（ＷＩＦＩ）のチャンネル検出時間窓は、ロング・ターム・エボリューション（ＬＴＥ）のシンボル時間よりも非常に短く、その結果、上述の課題がより厳しくなる。
【０００４】
それゆえに、効果的な解決策が、上述の技術的課題を解決するために当分野において緊急に必要とされている。
【発明の概要】
【発明が解決しようとする課題】
【０００５】
本発明の１つの目的は、免許不要帯域チャネルを占有するための方法および装置を提供し、それによって占有された免許不要帯域状態の誤判断を避けることである。
【課題を解決するための手段】
【０００６】
本発明の一実施形態による免許不要帯域チャネルを占有するための方法は、ユーザ機器が、二次セル（Ｓｃｅｌｌ）基地局によって決定された免許不要帯域チャネルの参照信号伝送単位（ｒｅｆｅｒｅｎｃｅ  ｓｉｇｎａｌ  ｔｒａｎｓｍｉｓｓｉｏｎ  ｕｎｉｔ）の電力増加率を受信するステップと、ユーザ機器が、免許不要帯域チャネルを使って、Ｓｃｅｌｌ基地局によって送られた参照信号伝送単位レベル電力分布のサブフレームを受信するステップと、ユーザ機器が電力増加率を復号するステップと、ユーザ機器が電力増加率を使用してサブフレームを処理するステップと、を含む。
【０００７】
本発明の一実施形態において、ユーザ機器は、電力増加率をＳｃｅｌｌ基地局から免許不要帯域チャネルを介して受信し、電力増加率は、ユーザ機器に半静的に送られる。Ｓｃｅｌｌ基地局は、Ｓｃｅｌｌ基地局の一次セル（Ｐｃｅｌｌ）基地局に電力増加率を送り、ユーザ機器は、Ｐｃｅｌｌ基地局から電力増加率を受信する。ユーザ機器は、サブフレームを受信した後それをバッファに入れ、電力調節命令を待つ。電力増加率は、ＺＰ−ＣＳＩ−ＲＳ電力増加率ρＣおよび非フル・バッファ電力増加率ρＤの少なくとも一方である。ＺＰ−ＣＳＩ−ＲＳ電力増加率ρＣは、ρＣ＝Ｎ／（Ｎ−ＮＺＲＳ）によって決定され、ここで、Ｎは、参照信号伝送単位におけるＲＥの総数であり、ＮＺＲＳは、参照信号伝送単位におけるＺＰ−ＣＳＩ−ＲＳのためにスケジューリングされたＲＥの数である。非フル・バッファ電力増加率ρＤは、
【数１】
0006637995.tif 000002
によって決定され、ここで、Ｅｌｏｗｅｒは、参照信号伝送単位の帯域幅を横切るエネルギー下限であり、Ｅｃｏｎは、通常の電力分布において参照信号伝送単位によって分配されたエネルギーであり、Ｎｎｏｎは、参照信号伝送単位における未利用ＲＥの数および参照信号伝送単位におけるＺＰ−ＣＳＩ−ＲＳのためにスケジューリングされたＲＥの数であり、Ｎは、参照信号伝送単位におけるＲＥの総数である。
【０００８】
本発明の一実施形態は、さらに、免許不要帯域チャネルを占有する方法を提供し、この方法は、Ｓｃｅｌｌ基地局が、免許不要帯域チャネルの参照信号伝送単位の電力増加率を決定するステップと、Ｓｃｅｌｌ基地局が、電力増加率をユーザ機器に直接的または間接的に通知するステップと、Ｓｃｅｌｌ基地局が、参照信号伝送単位レベル電力分布のサブフレームをユーザ機器に免許不要帯域チャネルを介して送るステップと、二次セル基地局が、電力増加率を受信したという確認をユーザ機器から受信するステップとを含む。
【０００９】
本発明の別の実施形態は、電力増加率受信器と、サブフレーム受信器と、復号器と、プロセッサとを含むユーザ機器を提供する。電力増加率受信器は、Ｓｃｅｌｌ基地局によって決定された免許不要帯域チャネルの参照信号伝送単位の電力増加率を受信するように構成され、サブフレーム受信器は、免許不要帯域チャネルを使って、Ｓｃｅｌｌ基地局によって送られた参照信号伝送単位レベル電力分布のサブフレームを受信するように構成され、復号器は、電力増加率を復号するように構成され、プロセッサは、電力増加率を使用してサブフレームを処理するように構成される。
【００１０】
本発明のさらなる別の実施形態は、決定デバイスと、電力増加率送信器と、サブフレーム送信器と、受信器とを含む基地局を提供する。決定デバイスは、免許不要帯域チャネルの参照信号伝送単位の電力増加率を決定するように構成され、電力増加率送信器は、電力増加率をユーザ機器に直接的または間接的に通知するように構成され、サブフレーム送信器は、参照信号伝送単位レベル電力分布のサブフレームをユーザ機器に免許不要帯域チャネルを介して送るように構成され、受信器は、電力増加率を受信したという確認をユーザ機器から受信するように構成される。
【００１１】
本発明の実施形態は、シンボル・レベル電力分布の設計を採用し、電力増加率を使用し、その結果、１）ＺＰ−ＣＳＩ−ＲＳを有するシンボルは、ＺＰ−ＣＳＩ−ＲＳを有しないシンボルに比べて、シンボル全体の全エネルギーを不変に保ち、および／または２）非フル・バッファおよび／またはいくつかのユーザ機器が利用されていない場合には、占有された免許不要チャネルが保持されるまで、物理ダウンリンク共有チャネル（ＰＤＳＣＨ）のＲＥ電力が増加される。それゆえに、本発明の実施形態は、占有された免許不要帯域チャネルの誤検出によって引き起こされる厳しい干渉を事実上防止することができる。
【図面の簡単な説明】
【００１２】
【図１】ＺＰ−ＣＳＩ−ＲＳの場合に適用可能である、本発明の一実施形態による免許不要帯域チャネルを占有するための方法の概略流れ図である。
【図２】図１に示した実施形態によって得られたシンボル・レベル電力分布のサブフレームの概略図である。
【図３】本発明の一実施形態によって得られたシンボル・レベル電力分布のサブフレームの概略図である。
【図４】ユーザ機器とその二次セル基地局とを含む、本発明の一実施形態によるワイヤレス通信システムの概略構造図である。
【発明を実施するための形態】
【００１３】
本発明の趣旨をよりよく理解するために、本発明は、本発明の好ましい実施形態の一部によってさらに説明される。
【００１４】
本発明の一実施形態は、免許不要帯域チャネルを占有する方法を提供し、ユーザ機器側において、ユーザ機器は、Ｓｃｅｌｌ基地局によって決定された免許不要帯域チャネルの参照信号伝送単位の電力増加率を受信し、ユーザ機器は、免許不要帯域チャネルを使って、Ｓｃｅｌｌ基地局によって送られた参照信号伝送単位レベル電力分布のサブフレームを受信し、ユーザ機器は、電力増加率を復号し、ユーザ機器は、電力増加率を使用してサブフレームを処理する。対応して、Ｓｃｅｌｌ基地局側において、Ｓｃｅｌｌ基地局は、免許不要帯域チャネルの参照信号伝送単位の電力増加率を決定し、Ｓｃｅｌｌ基地局は、電力増加率をユーザ機器に直接的または間接的に通知し、Ｓｃｅｌｌ基地局は、参照信号伝送単位レベル電力分布のサブフレームをユーザ機器に免許不要帯域チャネルを介して送り、Ｓｃｅｌｌ基地局は、電力増加率を受信したという確認をユーザ機器から受信する。
【００１５】
使用中の免許不要帯域チャネルの電力減少を引き起こす理由が主に２つある。１つは、ＺＰ−ＣＳＩ−ＲＳが送信されることであり、他の１つは、非フル・バッファであり、バッファにデータがなく、その結果、物理リソース・ブロックの一部が空いているかまたは利用されないことである。以下で、それぞれ、２つの異なる場合に関する説明を行う。
【００１６】
図１は、ＺＰ−ＣＳＩ−ＲＳの場合に適用可能である、本発明の一実施形態による免許不要帯域チャネルを占有するための方法の概略流れ図である。
【００１７】
図１に示すように、Ｓｃｅｌｌ基地局側で、ステップ１００において、Ｓｃｅｌｌ基地局は、サブフレームのいくつかのシンボルのＲＥにＺＰ−ＣＳＩ−ＲＳをスケジューリングする。シンボルはＺＰ−ＣＳＩ−ＲＳの伝送単位であり、ＲＥは物理リソース・ブロックの構成要素単位である。ステップ１０２において、Ｓｃｅｌｌ基地局は、スケジューリングされたＺＰ−ＣＳＩ−ＲＳを有するシンボルのＺＰ−ＣＳＩ−ＲＳ電力増加率ρＣを計算し、ＺＰ−ＣＳＩ−ＲＳ電力増加率ρＣはρＣ＝Ｎ／（Ｎ−ＮＺＲＳ）によって決定され、ここで、Ｎは、参照信号伝送単位におけるＲＥの総数であり、ＮＺＲＳは、参照信号伝送単位におけるＺＰ−ＣＳＩ−ＲＳのためにスケジューリングされたＲＥの数である。ＺＰ−ＣＳＩ−ＲＳ電力増加率ρＣがユーザ機器に正確に時間内に確実に到達するために、ステップ１０４において、Ｓｃｅｌｌ基地局は、電力増加率を、免許不要帯域チャネルによりユーザ機器に直接送る代わりに、免許を受けたチャネルによりＳｃｅｌｌ基地局のＰｃｅｌｌ基地局に送る。ステップ１０６において、Ｐｃｅｌｌ基地局は、受信したＺＰ−ＣＳＩ−ＲＳ電力増加率ρＣを高レイヤ・シグナリングとして処理し、電力増加率をユーザ機器に高レイヤ・シグナリングにより半静的に送り、それによって、ＺＰ−ＣＳＩ−ＲＳ電力増加率ρＣの伝送品質をさらに改善する。別の実施形態において、例えば、Ｓｃｅｌｌ基地局の位置とＰｃｅｌｌ基地局の位置が重ならない場合には、Ｓｃｅｌｌ基地局は、免許不要帯域チャネルを介してユーザ機器にＺＰ−ＣＳＩ−ＲＳ電力増加率を直接送ることができる。さらに、Ｐｃｅｌｌ基地局は免許を受けたチャネルを介して転送するために使用され、高レイヤ・シグナリングは使用されなくてもよく、伝送期間は半静的であることに制限されない。ステップ１０８において、Ｓｃｅｌｌ基地局は、シンボル・レベル電力分布を有するサブフレームをユーザ機器に免許不要帯域チャネルを介して送信する。ステップ１１０において、ユーザ機器は、サブフレームを受信した後それをバッファに入れ、電力調節命令を待ち、それによって、ＺＰ−ＣＳＩ−ＲＳ電力増加率ρＣを処理し復号するのに十分な時間を有する。別の実施形態では、ユーザ機器は、受信したＺＰ−ＣＳＩ−ＲＳ電力増加率ρＣを直接復号することができる。ステップ１１２において、ユーザ機器は、復号されたρＣを使用して、シンボル・レベル電力分布を有するサブフレームを処理する。
【００１８】
図２は、図１に示した実施形態によって得られたシンボル・レベル電力分布のサブフレームの概略図である。ρＣを使用することによって処理されたシンボル・レベル電力分布を有するサブフレームのＲＥの電力は増加し、それによって、低電力に起因して隣接チャンネルまたはユーザ機器によって空きチャネルとして処理されることが防止されることが図２から分かる。
【００１９】
同様に、非フル・バッファの場合には、同様のシンボル・レベル電力分布を実施することができる。
【００２０】
Ｓｃｅｌｌ基地局のバッファ空きレベル（ｂｕｆｆｅｒ  ｉｄｌｅ  ｌｅｖｅｌ）はεｂｕｆｆｅｒであり、帯域幅を横切るシンボルのエネルギー下限はＥｌｏｗｅｒであると定義することができる。εｂｕｆｆｅｒに応じて、スケジューラは、帯域幅を横切るシンボルのＲＥをいくつ利用するかを決定する。従来の電力分布方法が適用されるとき、シンボルのエネルギーがＥｌｏｗｅｒよりも低い場合、電力増加モードがトリガされ得る。Ｓｃｅｌｌ基地局は、利用するＰＤＳＣＨ  ＲＥの電力増加率、すなわち、非フル・バッファ電力増加率ρＤを計算することができる。非フル・バッファ電力増加率は、
【数２】
0006637995.tif 000003
によって決定され、ここで、Ｅｌｏｗｅｒは、参照信号伝送単位の帯域幅を横切るエネルギー下限であり、Ｅｃｏｎは、通常の電力分布において参照信号伝送単位によって分配されるエネルギーであり、Ｎｎｏｎは、参照信号伝送単位における未利用ＲＥの数および参照信号伝送単位におけるＺＰ−ＣＳＩ−ＲＳのためにスケジューリングされたＲＥの数であり、Ｎは、参照信号伝送単位におけるＲＥの総数である。シンボルがＺＰ−ＣＳＩ−ＲＳを有する場合、Ｎｎｏｎは、参照信号伝送単位におけるＺＰ−ＣＳＩ−ＲＳのためにスケジューリングされるＲＥの数をさらに含むことができる。ρＤの送信および処理の詳細はρＣのものと同じであり、ここでは繰り返さない。
【００２１】
図３は、ＺＰ−ＣＳＩ−ＲＳおよび非フル・バッファの２つの場合を含む、本発明の一実施形態によって得られたシンボル・レベル電力分布のサブフレームの概略図である。ρＤおよびρＣを使用することによって処理されたシンボル・レベル電力分布を有するサブフレームおよびそのＲＥの電力は増加し、それによって、低電力に起因して隣接チャンネルまたはユーザ機器によって空きチャネルとして処理されることが防止されることが図３から分かる。
【００２２】
本発明の実施形態は、さらに、免許不要チャネルを占有するための方法を実施することができるユーザ機器および基地局、特に、Ｓｃｅｌｌを提供する。
【００２３】
図４は、ユーザ機器４２とそのＳｃｅｌｌ基地局４４とを含む、本発明の一実施形態によるワイヤレス通信システム４０の概略構造図である。
【００２４】
図４に示すように、ユーザ機器４２は、電力増加率受信器４２０と、サブフレーム受信器４２２と、復号器４２４と、プロセッサ４２６とを含む。電力増加率受信器４２０は、Ｓｃｅｌｌ基地局４４によって決定された免許不要帯域チャネルの参照信号伝送単位の電力増加率を受信するように構成され、サブフレーム受信器４２２は、免許不要帯域チャネルを使って、Ｓｃｅｌｌ基地局４４によって送られた参照信号伝送単位レベル電力分布のサブフレームを受信するように構成され、復号器４２４は、電力増加率を復号するように構成され、プロセッサ４２６は、電力増加率を使用してサブフレームを処理するように構成される。Ｓｃｅｌｌ基地局４４は、決定デバイス４４０と、電力増加率送信器４４２と、サブフレーム送信器４４４と、受信器４４６とを含む。決定デバイス４４０は、免許不要帯域チャネルの参照信号伝送単位の電力増加率を決定するように構成され、電力増加率送信器４４２は、電力増加率をユーザ機器４２に直接的または間接的に通知するように構成され、サブフレーム送信器４４４は、参照信号伝送単位レベル電力分布のサブフレームをユーザ機器４２に免許不要帯域チャネルを介して送るように構成され、受信器４４６は、電力増加率を受信したという確認をユーザ機器４２から受信するように構成される。
【００２５】
本発明の技術的内容および技術的特徴が上述において開示されたが、しかしながら、当業者は、さらに、本発明の趣旨から逸脱することなしに、本発明の教示および開示に基づいて、様々な置換えおよび変更を行うことができる。それゆえに、本発明の保護範囲は、実施形態に開示された内容に限定されるべきでなく、本発明から逸脱することなく様々な置換えおよび変更を含み、本発明の特許請求の範囲によって包含されるべきである。
【図１】
0006637995.tif 000008
【図２】
0006637995.tif 000009
【図３】
0006637995.tif 000010
【図４】
0006637995.tif 000011